(57)【特許請求の範囲】
【請求項１】
非金属製の天板に金属製のシンクを取り付けたシンク付き天板において、
前記天板は、前記シンクに対応する開口部を有し、
前記天板と前記シンクとの境界部分には、その境界部分に段差が形成されないように充填材が充填されており、
前記天板は、その下側平面における前記開口部側の終端が、対応する前記シンクの上部内周面に対して、前記シンクの内側方向に−１．５〜１．５ｍｍの範囲内に位置するように、前記開口部を形成している内周面が前記シンクの上部内周面より内側に張り出しており、
前記天板の開口部を形成している内周面における最も張り出した部分の高さ位置よりも下側の部分が、上下方向に湾曲した凹曲面を全周にわたって有しており、
前記天板の前記開口部を形成している内周面における前記下側平面の前記開口部側の終端から上側に向かって前記開口部側に張り出した部分は、前記天板の下側水平面を含む仮想平面における、前記天板の下側水平面の開口部側の終端から前記シンクの内側に１．５ｍｍだけ偏倚した位置から斜め上方に延びる前記仮想平面に対する前記天板の開口方向側の角度が６０度のラインよりも上側（前記シンクの外側）の領域内に位置しており、かつ、角部を有していないことを特徴とするシンク付き天板。
【請求項２】
前記天板の開口部を形成している内周面における最も張り出した部分の高さ位置よりも下側の部分及び前記充填材が充填された前記天板と前記シンクとの境界部分に、水平面に対して６０度未満の傾斜面または水平面が存在していない請求項１に記載のシンク付き天板。
【発明の詳細な説明】
【技術分野】
【０００１】
この発明は、非金属製の天板に金属製のシンクを取り付けたシンク付き天板に関する。
【背景技術】
【０００２】
この種のシンク付き天板としては、例えば、図１２に示すようなものがある。このシンク付き天板５０は、同図に示すように、上端にフランジ部５２を有するシンク５１と、このシンク５１に対応する開口部５４が形成された天板５３とから構成されており、天板５３とシンク５１とは、天板５３の下面とシンク５１のフランジ５２との間に充填されたシリコンコーキング材５５によって接着固定されている。
【０００３】
前記天板５３は、その開口部５４の上端角部が面取りされてＲ状に形成されているが、開口部５４の下端角部は面取りされておらず、開口部５４を形成している内周面がシンク５１の内周面より内側に張り出しているので、天板５３の開口部５４とシンク５１との間に段差が形成され、天板５３の開口部５４の周縁において天板５３の下面が露出した状態となっている。
【先行技術文献】
【特許文献】
【０００４】
【特許文献１】特公平０７−１１３２２８号公報
【発明の概要】
【発明が解決しようとする課題】
【０００５】
ところで、上述したようなシンク付き天板５０では、天板５３の開口部５４とシンク５１との間に段差が形成され、天板５３の開口部５４の周縁において天板５３の下面が露出した状態となっているので、この露出した天板５３の下面、露出したシリコンコーキング材５５の傾斜面及びシンク５１の上端部とによって形成される隅部に、ごみや食べ物のかす等が付着しやすいと共にカビも生えやすく、非衛生的であるといった問題がある。また、そういった隅部は掃除がし難く、天板５３における開口部５４の下端角部は面取りされていないので、掃除する際の手触りも悪いといった問題もある。
【０００６】
そこで、この発明の課題は、衛生的で掃除がし易く、掃除する際の手触りもよいシンク付き天板を提供することにある。
【課題を解決するための手段】
【０００７】
上記の課題を解決するため、請求項１に係る発明は、非金属製の天板に金属製のシンクを取り付けたシンク付き天板において、前記天板は、前記シンクに対応する開口部を有し、前記天板と前記シンクとの境界部分には、その境界部分に段差が形成されないように充填材が充填されており、前記天板は、その下側平面における前記開口部側の終端が、対応する前記シンクの上部内周面に対して、前記シンクの内側方向に−１．５〜１．５ｍｍの範囲内に位置するように、前記開口部を形成している内周面が前記シンクの上部内周面より内側に張り出しており、前記天板の開口部を形成している内周面における最も張り出した部分の高さ位置よりも下側の部分が、上下方向に湾曲した凹曲面を全周にわたって有しており、前記天板の前記開口部を形成している内周面における前記下側平面の前記開口部側の終端から上側に向かって前記開口部側に張り出した部分は、前記天板の下側水平面を含む仮想平面における、前記天板の下側水平面の開口部側の終端から前記シンクの内側に１．５ｍｍだけ偏倚した位置から斜め上方に延びる前記仮想平面に対する前記天板の開口方向側の角度が６０度のラインよりも上側（前記シンクの外側）の領域内に位置しており、かつ、角部を有していないことを特徴とするシンク付き天板を提供するものである。なお、ここにいう「シンクの上部内周面」とは、Ｒ状に面取りされた上端コーナ部を含まない。
【０００８】
また、請求項２に係る発明は、請求項１に係る発明のシンク付き天板において、前記天板の開口部を形成している内周面における最も張り出した部分の高さ位置よりも下側の部分及び前記充填材が充填された前記天板と前記シンクとの境界部分に、水平面に対して６０度未満の傾斜面または水平面が存在していないことを特徴としている。
【発明の効果】
【００１０】
以上のように、請求項１に係る発明のシンク付き天板は、天板とシンクとの境界部分には、その境界部分に段差が形成されないように充填材が充填されており、天板の開口部を形成している内周面がシンクの上部内周面より内側に張り出しているが、天板の下側平面における開口部側の終端が、対応するシンクの上部内周面に対して、シンクの内側方向に−１．５〜１．５ｍｍの範囲内に位置していると共に、天板の開口部を形成している内周面における下側平面の開口部側の終端から上側に向かって開口部側に張り出した部分は、天板の下側水平面を含む仮想平面における、天板の下側平面の開口部側の終端からシンクの内側に１．５ｍｍだけ偏倚した位置から斜め上方に延びる仮想平面に対する天板の開口方向側の角度が６０度のラインよりも上側（前記シンクの外側）の領域内に位置しており、かつ、角部を有していないので、ごみや食べ物のかす等が付着した場合でも拭き取りやすく、衛生的である。
また、天板の開口部を形成している内周面における最も張り出した部分の高さ位置よりも下側の部分が、上下方向に湾曲した凹曲面を全周にわたって有しているので、天板とシンクとの境界部分に付着したごみや食べ物のかす等がさらに拭き取りやすく、手触りもよい。
【００１１】
また、請求項２に係る発明のシンク付き天板は、天板の開口部を形成している内周面における最も張り出した部分の高さ位置よりも下側の部分及び充填材が充填された天板と前記シンクとの境界部分に、水平面に対して６０度未満の傾斜面または水平面が存在していないので、ごみや食べ物のかす等が付着し難いという効果がある。
【図面の簡単な説明】
【００１３】
【図１】この発明に係るシンク付き天板の一実施形態を示す部分断面図である。
【図２】同上のシンクの天板への取付部分を示す拡大断面図である。
【図３】同上の天板の開口部を形成している内周面の張出形状を説明するための説明図である。
【図４】同上の天板の開口部を形成している内周面及びコーキング材が充填された天板とシンクとの境界部分の形状を説明するための説明図である。
【図５】他の実施形態であるシンク付き天板におけるシンクの天板への取付状態を示す拡大断面図である。
【図６】他の実施形態であるシンク付き天板におけるシンクの天板への取付状態を示す拡大断面図である。
【図７】他の実施形態であるシンク付き天板の開口部を形成している内周面の形状を示す概略図である。
【図８】他の実施形態であるシンク付き天板の開口部を形成している内周面の形状を示す概略図である。
【図９】（ａ）、（ｂ）は他の実施形態であるシンク付き天板の開口部を形成している内周面の形状を示す概略図である。
【図１０】（ａ）、（ｂ）は他の実施形態であるシンク付き天板の開口部を形成している内周面の形状を示す概略図である。
【図１１】（ａ）、（ｂ）は他の実施形態であるシンク付き天板の開口部を形成している内周面の形状を示す概略図である。
【図１２】シンク付き天板の従来例を示す断面図である。
【発明を実施するための形態】
【００１４】
以下、実施の形態について図面を参照して説明する。図１及び図２は、この発明に係るシンク付き天板を示している。このシンク付き天板１は、同図に示すように、人工大理石によって形成された厚さ６ｍｍの天板１０と、この天板１０の下面に取り付けられたステンレス製のシンク２０とから構成されており、天板１０には、シンク２０に対応する開口部１１が形成されている。
【００１５】
前記天板１０の下面には、図２に示すように、開口部１１の周囲に厚さ９ｍｍのパーティクルボードからなる補強材１２が貼着されており、その補強材１２は、開口部１１側の端面が、下方に向かって開口部１１側に傾斜した傾斜面１２ａとなっている。
【００１６】
前記シンク２０は、同図に示すように、四隅が曲率半径の大きなＲ状に形成された略長方形状の本体部２１と、この本体部２１の上端にＲ状の上端コーナ部２２を介して連設されたフランジ部２３とを備えており、このフランジ部２３部分において、充填材の１つであるコーキング材ＣＣ及びウレタン樹脂ＵＲによって、天板１０の下面に固定されている。
【００１７】
前記天板１０とシンク２０との固定作業は、以下のようにして行われる。まず、天板１０を上下反転した状態で、天板１０の下面における開口部１１と補強材１２との間の領域にコーキング材ＣＣを塗布した後、フランジ部２３の上面にコーキング材ＣＣを塗布したシンク２０を、そのフランジ部２３が天板１０の下面における開口部１１と補強材１２との間の領域に位置するように載置し、天板１０に対してシンク２０を位置調整した状態でコーキング材ＣＣによって仮止めする。続いて、ウレタン樹脂ＵＲを、補強材１２の下面と面一になるように、天板１０の補強材１２とシンク２０の本体部２１との間に注入し、これを硬化させると、ウレタン樹脂ＵＲがシンク２０のフランジ部２３及び補強材１２の傾斜面１２ａに固着されると共に、硬化したウレタン樹脂ＵＲが補強材１２の傾斜面１２ａに掛止された状態となって、シンク２０の天板１０からの脱落が阻止され、天板１０とシンク２０とが固定される。
【００１８】
前記天板１０は、図２に示すように、開口部１１を形成している内周面が、概ね下方に向かってシンク２０の外側に傾斜しており、上端角部が曲率半径８．５ｍｍ、１．５ｍｍの２種類の連続した大きな円弧面によって面取りされた上端面取部１１ａと、下端角部が曲率半径０．５ｍｍの小さな円弧面によって面取りされた下端面取部１１ｂと、上端面取部１１ａと下端面取部１１ｂとを接続する、曲率半径１５ｍｍ、５．７５ｍｍの２種類の連続した大きな円弧面からなる凹曲面部１１ｃとによって形成されている。
【００１９】
また、天板１０は、図３に示すように、その下側平面における開口部１１側の終端（下端面取部１１ｂとの境界）ＥＥが、対応するシンク２０の上部内周面から０．３２ｍｍだけシンク２０の内側に位置するように、開口部１１を形成している内周面がシンク２０の上部内周面より内側に張り出しており、その張出部分は、天板１０の下側水平面を含む仮想平面ＶＰにおける、天板１０の下側水平面の開口部１１側の終端ＥＥからシンク２０の内側に１．５ｍｍだけ偏倚した位置Ｐを通る、仮想平面ＶＰに対する角度αが６０度のラインＬよりも上側（シンク２０の外側）の領域（図３における網掛け表示領域）内に位置している。
【００２０】
また、天板１０とシンク２０との境界部分には、図２に示すように、コーキング材ＣＣが充填されており、図４に示すように、天板１０の開口部１１を形成している内周面における最も張り出した部分の高さ位置ｈよりも下側の部分ＰＴ１及び天板１０とシンク２０との境界部分におけるコーキング材ＣＣが充填された部分ＰＴ２は、水平面に対して６０度以下の傾斜面または水平面が存在しないような外形形状を有している。
【００２１】
以上のように、このシンク付き天板１は、天板１０の開口部１１を形成している内周面がシンク２０の上部内周面より内側に張り出しているが、天板１０の下側平面における開口部１１側の終端ＥＥが、対応するシンク２０の上部内周面から０．３２ｍｍだけシンク２０の内側に位置していると共に、天板１０の下側平面における開口部１１側の終端ＥＥから開口部１１側に張り出した部分は、天板１０の下側水平面を含む仮想平面ＶＰにおける、天板１０の下側平面の開口部１１側の終端ＥＥからシンク２０の内側に１．５ｍｍだけ偏倚した位置を通る、仮想平面ＶＰに対する角度が６０度のラインよりも上側の領域内に位置していると共に角部を有しておらず、天板１０の開口部１１を形成している内周面における最も張り出した部分の高さ位置ｈよりも下側の部分及びコーキング材ＣＣが充填された天板１０とシンク２０との境界部分に、水平面に対して６０度未満の傾斜面または水平面が存在していないので、天板１０とシンク２０との境界部分に段差が形成されることがなく、ごみや食べ物のかす等が付着し難いと共に、ごみや食べ物のかす等が付着した場合でも拭き取りやすく、衛生的である。
【００２２】
また、このシンク付き天板１は、天板１０の開口部１１を形成している内周面における最も張り出した部分の高さ位置ｈよりも下側の部分が、上下方向に湾曲した凹曲面部１１ｃを全周にわたって有しているので、天板１０とシンク２０との境界部分に付着したごみや食べ物のかす等が拭き取りやすく、手触りもよい。
【００２３】
なお、上述した実施形態では、天板１０の下側平面における開口部１１側の終端ＥＥが、対応するシンク２０の上部内周面から０．３２ｍｍだけシンク２０の内側に位置するように、開口部１１を形成している内周面がシンク２０の上部内周面より内側に張り出しているが、これに限定されるものではなく、例えば、図５に示すシンク付き天板２や図６に示すシンク付き天板３のように、開口部１１を形成している内周面は、天板１０の下側平面における開口部１１側の終端ＥＥが、対応するシンク２０の上部内周面に対して、シンク２０の内側方向に−１．５〜１．５ｍｍの範囲内に位置するように、シンク２０の上部内周面より内側に張り出していればよい。
【００２４】
また、上述した各実施形態では、開口部１１を形成している内周面が、概ね下方に向かってシンク２０の外側に傾斜しているが、これに限定されるものではなく、例えば、図７に示すように、上半部が緩やかに湾曲したものであってもよい。
【００２５】
また、上述した各実施形態では、天板１０の開口部１１を形成している内周面における最も張り出した部分の高さ位置ｈよりも下側の部分が、上下方向に湾曲した凹曲面部１１ｃを全周にわたって有しているが、これに限定されるものではなく、例えば、図８及び図９（ａ）、（ｂ）に示すように、上述した凹曲面部１１ｃに代えて、湾曲していないフラットな傾斜面を採用することも可能である。
【００２６】
また、上述した各実施形態では、天板１０の開口部１１を形成している内周面における最も張り出した部分の高さ位置ｈよりも下側の部分及びコーキング材ＣＣが充填された天板１０とシンク２０との境界部分に、水平面に対して６０度未満の傾斜面または水平面が存在していないが、これに限定されるものではなく、例えば、図１０（ａ）、（ｂ）及び図１１（ａ）、（ｂ）に示すように、水平面に対して６０度以下の傾斜面または水平面が存在していてもよい。
【００２７】
また、上述した各実施形態では、天板１０とシンク２０との境界部分に、コーキング材ＣＣを充填しているが、これに限定されるものではなく、目地材やパッキン材を充填することも可能である。
【００２８】
また、上述した各実施形態では、厚みが６ｍｍの天板１０を使用したシンク付き天板について説明したが、これに限定されるものではなく、天板１０の厚みは、例えば、５ｍｍや７ｍｍ等適宜設定すればよい。
【００２９】
また、上述した各実施形態では、開口部１１側の端面が下方に向かって開口部１１側に傾斜した傾斜面１２ａを有する補強材１２を天板１０の下面に固着し、シンク２０のフランジ部２３を覆うように、天板１０の補強材１２とシンク２０の本体部２１との間にウレタン樹脂を注入し、これを硬化させることによって、天板１０とシンク２０とが固定するようにしているが、これに限定されるものではなく、種々の固定方法によって、シンクを天板に固定することができる。
【００３０】
また、上述した各実施形態では、人工大理石によって形成された天板１０にステンレス製のシンク２０を取り付けたシンク付き天板について説明したが、これに限定されるものではなく、本発明は非金属製の天板に金属製のシンクを取り付けた種々のシンク付き天板に適用することができる。
【産業上の利用可能性】
【００３１】
システムキッチンや流し台等に搭載されるシンク付き天板として利用することができる。
【符号の説明】
【００３２】
１、２、３  シンク付き天板
１０  天板
１１  開口部
１１ａ  上端面取部
１１ｂ  下端面取部
１１ｃ  凹曲面部
１２  補強材
１２ａ  傾斜面
２０  シンク
２１  本体部
２２  上端コーナ部
２３  フランジ部
ＣＣ  コーキング材
ＵＲ  ウレタン樹脂
【図１】
0005873729.tif 000002
【図２】
0005873729.tif 000003
【図３】
0005873729.tif 000004
【図４】
0005873729.tif 000005
【図５】
0005873729.tif 000006
【図６】
0005873729.tif 000007
【図７】
0005873729.tif 000008
【図８】
0005873729.tif 000009
【図９】
0005873729.tif 000010
【図１０】
0005873729.tif 000011
【図１１】
0005873729.tif 000012
【図１２】
0005873729.tif 000013